(57)【要約】【課題】作業性の低下や煩雑さを招くことなく操作者の手元の視認性を向上できる便利な照明具を実現する。【解決手段】有機エレクトロルミネッセンス発光素子を備えたＥＬ発光部３と、少なくとも装着時に操作者Ｍの指Ｆの外周部に沿った曲面を形成可能な指装着部２とを有し、ＥＬ発光部３は、操作者Ｍの指Ｆへの装着時には指装着部２の外周側に配設される。また、指装着部２は、指Ｆに粘着可能な粘着剤層を内周側に備えたテープ部材である。【選択図】図１
2011060576.tif 000002
【特許請求の範囲】
【請求項１】
有機エレクトロルミネッセンス発光素子を備えたＥＬ発光部と、
少なくとも装着時に、操作者の指の外周部に沿った曲面を形成可能な指装着部とを有し、
前記ＥＬ発光部は、前記操作者の指への装着時には前記指装着部の外周側に配設される
ことを特徴とする装着型照明具。
【請求項２】
請求項１記載の装着型照明具において、
前記指装着部は、
前記指に粘着可能な粘着剤層を内周側に備えたテープ部材である
ことを特徴とする装着型照明具。
【請求項３】
請求項１記載の装着型照明具において、
前記指装着部は、
装着前に平帯状に開放されるとともに装着時に円環状に形成可能なベルト部材である
ことを特徴とする装着型照明具。
【請求項４】
請求項１記載の装着型照明具において、
前記指装着部は、
外周に前記発光部を配設した指輪部材である
ことを特徴とする装着型照明具。
【請求項５】
請求項１記載の装着型照明具において、
前記指装着部は、
装着時に前記指の先端部を覆うように被せられる弾性部材である
ことを特徴とする装着型照明具。
【請求項６】
請求項１乃至請求項５のいずれか１項記載の装着型照明具において、
前記ＥＬ発光部への給電を行うための給電部と、
前記装着時に非導通状態から導通状態に切り替わり前記給電部から前記ＥＬ発光部への給電を可能とするスイッチと
を有することを特徴とする装着型照明具。
【発明の詳細な説明】
【技術分野】
【０００１】
本発明は、有機ＥＬ発光素子を発光部として備えた装着型照明具に関する。
【背景技術】
【０００２】
一般的に、鉛筆やその他ペンなどを用いて紙などに文字や図形を書き込む等の作業では、室内照明や電気スタンドなどの固定照明具から照射光を照射し、操作者の手元を明確に視認できるようにしていた。
【０００３】
あるいは、夜間の屋外などのように固定照明具がない場合、若しくは、自動車などの構造物の内部のように狭い密閉された空間で手作業を行う場合には、従来、操作者が携帯可能な懐中電灯を用いて手元の注視点を照射させていた（例えば、特許文献１参照）。
【先行技術文献】
【特許文献】
【０００４】
【特許文献１】特開２００６−１１４３５３号公報
【発明の概要】
【発明が解決しようとする課題】
【０００５】
しかしながら、上記固定照明具による照射では操作者の手元に影ができてしまい、必ずしも良好な視認性が得られるとは限られなかった。また、上記懐中電灯を用いる場合は、懐中電灯を把持する一方の手がふさがってしまい、操作者の作業性を大きく損ねてしまう問題がある。なお、通常の小型照明具を指に装着することも考えられるが、この場合も別途補助器具を用意する煩雑さがあり、また装着時の重量により操作者の作業性の低下を招く。
【０００６】
本発明の目的は、作業性の低下や煩雑さを招くことなく操作者の手元の視認性を向上できる便利な照明具を提供することにある。
【課題を解決するための手段】
【０００７】
上記目的を達成するために、第１発明は、有機エレクトロルミネッセンス発光素子を備えたＥＬ発光部と、少なくとも装着時に、操作者の指の外周部に沿った曲面を形成可能な指装着部とを有し、前記ＥＬ発光部は、前記操作者の指への装着時には前記指装着部の外周側に配設されることを特徴とする。
【０００８】
本願第１発明の装着型照明具は、指装着部を備えている。指装着部は、操作者の指の外周部に沿った曲面を形成することによって、当該指に装着される。指装着部には、指への装着時に外周側に位置するようにＥＬ発光部が配置されている。これにより、指装着部の外周側のＥＬ発光部が、操作者の手元を照らす。
【０００９】
これにより、電気スタンドなどの卓上照明具と異なり、指自体の影を出現させることなく、操作者の手元全体を明るく照らし視認性を向上することができる。また、指自体に直接装着することにより、懐中電灯を別の手で把持する場合のように、操作者の手をふさぎ操作者の作業性を損ねることがない。さらに、装着部を介して指に装着可能であることにより、通常の小型照明具のように、指に装着するのに別途補助器具を用意する煩わしさを招いたり、装着時の重量により操作者の作業性を損ねたりするのを防止できる。
【００１０】
以上により、本願第１発明によれば、作業性の低下や煩雑さを招くことなく操作者の手元の視認性を向上できる、便利な照明具を実現することができる。
【００１１】
第２発明は、上記第１発明において、前記指装着部は、前記指に粘着可能な粘着剤層を内周側に備えたテープ部材であることを特徴とする。
【００１２】
装着時に、内周側に備えられた粘着剤層の粘着力により、照明具全体を指に密着させて強固に固定することができる。
【００１３】
第３発明は、上記第１発明において、前記指装着部は、装着前に平帯状に開放されるとともに装着時に円環状に形成可能なベルト部材であることを特徴とする。
【００１４】
指装着部としてベルト部材を用いることにより、装着・取り外しを繰り返し何度でも使用することができる。また、使用時には平帯状から円環状に変化させて容易に指の外周部に装着し、使用後は円環状から平帯状に変化させることで容易に指から取り外すことができる。すなわち、指の外周部への着脱性を向上することができる。
【００１５】
第４発明は、上記第１発明において、前記指装着部は、外周に前記発光部を配設した指輪部材であることを特徴とする。
【００１６】
指装着部として指輪部材を用いることにより、指の外周部に沿った曲面を維持した安定的な指装着部の形状を実現することができる。
【００１７】
第５発明は、上記第１発明において、前記指装着部は、装着時に前記指の先端部を覆うように被せられる弾性部材であることを特徴とする。
【００１８】
指装着部として指の先端部を覆う弾性部材を用いることにより、弾性力によって照明具全体を指に密着させ、強固に固定することができる。また、粘着力ではなく弾性力を用いた密着であることにより、装着・取り外しを繰り返し、何度でも使用することができる。また、使用時には指の先端部から根元側に向かって被せるようにして容易に指に装着し、使用後は指の根元側から先端部へとめくり上げるようにすることで容易に指から取り外すことができ、指への着脱性を向上することもできる。
【００１９】
第６発明は、上記第１発明乃至第５発明のいずれかにおいて、前記ＥＬ発光部への給電を行うための給電部と、前記装着時に非導通状態から導通状態に切り替わり前記給電部から前記ＥＬ発光部への給電を可能とするスイッチとを有することを特徴とする。
【００２０】
これにより、装着前は給電部とＥＬ発光部との導通を遮断して電力の無駄を防止するとともに、装着後は給電部からＥＬ発光部へ確実に電力を供給し、発光させることができる。
【発明の効果】
【００２１】
本発明によれば、作業性の低下や煩雑さを招くことなく、操作者の手元の視認性を向上することができる。
【図面の簡単な説明】
【００２２】
【図１】本発明の実施形態に係る装着型照明具の平面図及び縦断面図である。
【図２】実施形態の装着型照明具を操作者の指に装着した状態の一例を示す外観図である。
【図３】指装着部をベルト部材で構成した変形例の平面図と断面図である。
【図４】指装着部を指輪部材で構成した変形例の全体外観を示した斜視図である。
【図５】指装着部を指の先端部を覆うように被せる弾性部材で構成した変形例の全体外観を示した斜視図である。
【図６】絶縁紙を用いた電源スイッチを備える変形例の断面図、図６（ａ）中Ａ部拡大図、使用状態の一例を表す図、及び、図６（ｃ）中Ａ′部拡大図である。
【図７】融解絶縁体を用いた電源スイッチを備える変形例の断面図、図７（ａ）中Ｂ部拡大図、使用状態の一例を表す図、及び、図７（ｃ）中Ｂ′部拡大図である。
【図８】温度検出センサと接続スイッチとを用いた電源スイッチを備える変形例の断面図、図８（ａ）中Ｃ部の拡大図、使用状態の一例を表す図、及び、図８（ｃ）中Ｃ′部拡大図である。
【図９】外部電池を備えた補助装着部を備える変形例の斜視図と横断面図である。
【図１０】外部電池を備えた補助装着部を備える変形例を操作者に装着した状態の一例を示す外観図である。
【発明を実施するための形態】
【００２３】
以下、本発明の一実施の形態を図面を参照しつつ説明する。
【００２４】
図１（ａ）及び図１（ｂ）を用いて、本実施形態の装着型照明具の使用前の状態を説明する。
【００２５】
図１において、本実施形態の装着型照明具１は、テープ部材としての指装着部２と、ＥＬ発光部３とを有している。
【００２６】
指装着部２は、全体が略平帯状に形成されており、テープ基材１１と、シート型電池１２と、粘着剤層１３と、剥離紙１４とを備えた、４層構造となっている。
【００２７】
テープ基材１１には、シート型電池１２からＥＬ発光部３への電力供給線２１が貫通している。シート型電池１２は、可撓性を有しており、上記ＥＬ発光部３に電力を供給する。シート型電池１２には、適宜の公知の電池が用いられる。一例としては、特開２００７−１８３９１９号公報等に記載のような、活物質である有機ラジカル化合物の酸化還元反応を用いる有機ラジカル電池が用いられる。粘着剤層１３は、適宜の粘着剤により構成されている。剥離紙１４は、装着型照明具１が操作者の指（後述の図２参照）に貼り付けられる際に、これを剥がすことで粘着剤層１３により当該操作者の指の表面に接着させる。
【００２８】
ＥＬ発光部３は、この例では上記指装着部２のテープ基材１１より小さい矩形形状に形成され、当該テープ基材１１の上側表面にあたる外周面上の中央位置に固着されている。このＥＬ発光部３は、公知の有機エレクトロルミネッセンス発光素子（以下、有機ＥＬ素子という）を用いることができる。詳細な図示を省略するが、有機ＥＬ素子は、発光層と、発光層の一方側に設けられる陰極層と、発光層の他方側に設けられる陽極層とを含む。
【００２９】
発光層は、有機ＥＬを含む層であり、陰極層と陽極層との間に電圧が印加されることで発光する。有機ＥＬとしては、例えばポリパラフェニレンビニレン誘導体、ポリフルオレン誘導体、ポリチオフェン誘導体等の高分子発光材料、及び、テトラフェニルブタジエン（ＴＰＢ）、ペリレン、クマリン、ルブレン、ナイルレッド、４−ジシアノメチレン−２−メチル−６−ジメチルアミノスチリル−４−ピラン（ＤＣＭ）、４−ジシアノメチレン−６−シーピージュロリジノスチリル−２−ターシャルブチル−４Ｈ−ピラン（ＤＣＪＴＢ）、スクアリリウム、アルミニウム錯体（例えばＡｌＱ３）等の低分子系材料を用いることができる。
【００３０】
なお、発光層の陰極層に接する面には、図示されない電子注入層が設けられる。電子注入層は、オキサジゾール誘導体、トリアゾール系、及びアルミニウム錯体のいずれかを用いることができる。
【００３１】
陰極層は、例えばアルミニウム（Ａｌ），フッ化リチウム（ＬｉＦ），ＡｌとＣａとの積層，ＡｌとＬｉＦとの積層及びＡｌとＢａとの積層等で構成することができる。陰極層は、陰極層と陽極層との間に電圧が印加されることで、上記電子注入層を介して発光層に電子を注入する。
【００３２】
陽極層は、例えば透明電極用の材料である酸化インジウム錫（ＩＴＯ）又はポリエチレンジオキシチオフェン（ＰＥＤＯＴ）で構成することができる。陽極層は、陰極層と陽極層との間に電圧が印加されることで、発光層に正孔を注入する。
【００３３】
以上のように有機ＥＬ発光素子で構成されるＥＬ発光部３は、小型かつ軽量で可撓性を有しながら高い輝度で照射光を照射することができる。
【００３４】
上記構成の装着型照明具１は、上述したように剥離紙１４を剥離し、粘着剤層１３を操作者Ｍの指に貼り付けつつ巻回することで、図２に示すように、操作者Ｍの指、この例では人差し指Ｆに装着することができる。このとき、指装着部２は、前述した構成により、上記巻回状態における外周側から内周側へ向かって、テープ基材１１、シート型電池１２、粘着剤層１３、剥離紙１４の順序で積層されることとなる。
【００３５】
図２に示す例では、操作者Ｍは左手で鉛筆Ｐを把持した状態である。指装着部２は、当該左手の人差し指Ｆの先端から第１関節までの間で巻回されて、人差し指Ｆの外周部に沿った曲面を形成しつつ、貼り付けられている。このように装着型照明具１を装着してＥＬ発光部３から照射光を照射することにより、操作者Ｍの注視点となる鉛筆Ｐの先端位置、つまり当該鉛筆Ｐで書き込みを行う場所の周辺に対して、照射光を何ら遮ることなく照射することができる。これにより、操作者Ｍは良好な手元の視認性を得ることができる。また、使用時において、テープ部材の指装着部２とともにＥＬ発光部３自体が上記可撓性により人差し指Ｆの曲面に併せて撓むことができる。この結果、操作者は、装着感に違和感のない良好な装着が可能となる。
【００３６】
以上説明したように、本実施形態の装着型照明具１においては、電気スタンドなどの卓上照明具と異なり、指自体の影を出現させることなく、操作者Ｍの手元全体を明るく照らし視認性を向上することができる。また、指自体に直接装着することにより、懐中電灯を別の手で把持する場合のように、操作者Ｍの手をふさぎ操作者Ｍの作業性を損ねることがない。さらに、指装着部２を介して指に装着可能であることにより、通常の小型照明具のように、指Ｆに装着するのに別途補助器具を用意する煩わしさを招いたり、装着時の重量により操作者Ｍの作業性を損ねたりするのを防止できる。この結果、作業性の低下や煩雑さを招くことなく操作者Ｍの手元の視認性を向上することができる。
【００３７】
なお、上記実施形態では、装着型照明具１を操作者Ｍの左手の人差し指Ｆの先端から第１関節までの間に装着した例を示しているが、本発明はこれに限られない。例えば、装着型照明具１を、左手の人差し指Ｆの別の位置や、左手の親指などの他の指や、さらには右手の指に装着してもよい。特に、人差し指以外の、薬指や小指、中指等に装着すると、鉛筆Ｐによる筆記面を、より容易に照らしやすい。この場合には、指装着部２全体の長さや幅の寸法を、装着箇所に合わせて適宜設定すればよい。さらに、一度に複数の装着型照明具１を各指に装着して使用してもよい。
【００３８】
また、この実施形態では特に、指装着部２が操作者Ｍの指Ｆに粘着可能な粘着剤層１３を備えていることにより、粘着剤層１３の粘着力で装着型照明具１全体を指に密着させて強固に固定することができる。
【００３９】
なお、本発明は、上記に限られるものではなく、その趣旨及び技術的思想を逸脱しない範囲内で種々の変形が可能である。以下、そのような変形例を順を追って説明する。
【００４０】
（１）指装着部のバリエーション
上記実施形態では、装着型照明具１を指装着部２の粘着剤層１３で指Ｆの表面に貼り付けて装着していたが、本発明はこれに限られず、他の構成によって装着させてもよい。以下、上記実施形態と同等の部材には同じ符号を付し、適宜説明を省略する。
【００４１】
例えば、上記図１（ａ）及び図１（ｂ）にそれぞれ対応する図３（ａ）及び図３（ｂ）に示すように、指装着部をベルト部材として構成してもよい。すなわち、指装着部１０２は、その一方の端部１０２ａが長めに延長して形成され、他方の端部に無段階バックル１０４が設けられている。この無段階バックル１０４は、詳細な図示を省略するが、指装着部１０２全体を円環状にして反対側の延長端部１０２ａを任意の長さだけ挿通させ、その状態でレバー１０４ａを押すことにより、当該挿通位置を固定することができる。これにより、装着前には指装着部１０２の全体が平帯状に開放されるとともに、装着時には円環状に形成して指の外周に装着することができる。また、無段階バックル１０４のレバー１０４ａを戻すことで延長端部１０２ａの固定を解除して外すことができる。
【００４２】
なお、図３（ｂ）に示すように、この変形例の指装着部１０２は、上記図１（ｂ）に示した粘着剤層１３のような粘着剤層が不要となる。その代わりに、この例では、粘着剤層１３と同等の積層位置に第２テープ基材１１５を設け、テープ基材１１１とともにシート型電池１２を挟んで固定している。
【００４３】
以上説明したように、本変形例においては、指装着部１０２としてベルト部材を用いることにより、装着照明具１０１の装着・取り外しを繰り返し何度でも使用することができる。また、使用時には平帯状から円環状に変化させて容易に指Ｆの外周部に装着し、使用後は円環状から平帯状に変化させることで容易に指Ｆから取り外すことができる。すなわち、指Ｆの外周部への着脱性を向上することができる。
【００４４】
また、この変形例では特に、無段階バックル１０４を設け、任意の挿通位置で延長端部を固定できる。これにより、親指や小指のように太さの異なるどの指Ｆにも適切に装着することができる。なお、この無段階バックル１０４を備える構成以外にも、例えばいわゆるマジックテープ（登録商標）のような面ファスナーで、ベルト部材の指装着部の両端部どうしを固定させる構成としてもよい。
【００４５】
また、図４に示すように、装着型照明具２０１の指装着部２０２の全体を指輪部材２１１で構成してもよい。指装着部２０２は、指の外形より大きな内径を備えた指輪部材２１１で構成されている。そして、指輪部材２１１の外周側に、ＥＬ発光部２０３と小型電池２１２とが固着されており、それらの間を電力供給線２２１が接続している。このように指装着部２０２として指輪部材２１１を用いることにより、指の外周部に沿った曲面を維持した安定的な指装着部２０２の形状を実現することができる。
【００４６】
なお、図示する例では、指Ｆの先端から第１関節までの間の位置に装着するように、指輪部材２１１の内径寸法が設定されているが、適宜の内径寸法に設定することで他の位置や他の指Ｆに装着可能である。また、電池２１２が指輪部材２１１と同じ径の円環状に形成できる場合には、指輪部材２１１の内部に同軸的な配置で設けるようにしてもよい。
【００４７】
また、上記図４に対応する図５に示すように、指装着部３０２の全体をいわゆる指サック３１１で構成してもよい。図示する例では、上記図４で示した構成における指輪部材２１１の代わりに指サック３１１を有している。指サック３１１は、装着時に指の先端部を覆うように被せられる弾性部材である。
【００４８】
このように、指装着部３０２として指の先端部を覆う弾性部材の指サック３１１を用いることにより、弾性力によって装着照明具３０１全体を指に密着させ、強固に固定することができる。また、粘着力ではなく弾性力を用いた密着であることにより、装着・取り外しを繰り返し、何度でも使用することができる。また、使用時には指Ｆの先端部から根元側に向かって被せるようにして容易に指Ｆに装着し、使用後は指Ｆの根元側から先端部へとめくり上げるようにすることで容易に指Ｆから取り外すことができ、指Ｆへの着脱性を向上することもできる。
【００４９】
（２）電源スイッチを設けた場合
すなわち、上記実施形態及び上記（１）の変形例に対して、ＥＬ発光部と電池との間の電気的接続を切り替える電源スイッチを設けてもよい。そのような変形例の装着型照明具を図６（ａ）〜（ｃ）により説明する。
【００５０】
まず、図６（ａ）、及び、図６（ａ）のＡ部拡大図である図６（ｂ）において、本変形例の装着型照明具４０１は、指装着部４０２の一方の端部に、電池側端子４２２、テープ基材側端子４２３、及び絶縁紙４２４が設けられている。
【００５１】
電池側端子４２２は、導電材料から成り、給電部としてのシート型電池１２の各図中上側にあたる外周側表面に露出するように設けられている。テープ基材側端子４２３は、同様に導電材料から成り、テープ基材１１の各図中下側にあたる内周側表面に露出するように設けられている。
【００５２】
絶縁紙４２４は、適宜の絶縁性材料から成り、上記電池側端子４２２と上記テープ基材側端子４２３との間に挟まれる積層方向の位置で、指装着部４０２の内部に設けられている。絶縁紙４２４の一方の端部は、縫合Ｔなどによって剥離紙１４に強固に固定されている。また、電力供給線４２１がテープ基材１１の表面に沿って配設され、ＥＬ発光素子３とテープ基材側端子４２３とを接続している。
【００５３】
この装着型照明具４０１を使用する際には、剥離紙１４を粘着剤層１３から剥離することにより、上記のように剥離紙１４に結合された絶縁紙４２４を指装着部４０２の内部から引き抜く（図６（ｂ）中黒矢印参照）。これにより、図６（ｃ）、及び、図６（ｃ）のＡ′部拡大図である図６（ｄ）に示すように、電池側端子４２２とテープ基材側端子４２３が直接接触することができる。この結果、シート型電池１２から、電池側端子４２２、テープ基材側端子４２３、及び電力供給線４２１を介し、ＥＬ発光部３へ電力を供給し発光させることができる。
【００５４】
なお、この使用中の際には、電池側端子４２２とテープ基材側端子４２３との接触状態を安定的に維持させるために、図６（ｃ）に示すように装着型照明具４０１の全体を透過性を有する固定フィルム４３１で覆うように貼り付けるとよい。なお図６（ｄ）では、煩雑防止のために固定フィルム４３１の図示を省略している。また、図６（ｃ）では、図示の便宜上、装着型照明具４０１を貼り付ける操作者Ｍの指Ｆの肌表面Ｓを平面で示している。固定フィルム４３１は、少なくとも上記電池側端子４２２と上記テープ基材側端子４２３とを備えた指装着部４０２の端部の全体を覆うとともに、操作者Ｍの指Ｆの肌表面Ｓに粘着固定される。これにより、当該指装着部４０２の端部が押さえつけられ、電池側端子４２２とテープ基材側端子４２３とが、安定的に接触状態を維持することができる。
【００５５】
以上説明したように、本変形例においては、装着型照明具４０１の使用時においてのみシート型電池１２をＥＬ発光部３に接続し、電力を供給させる電源スイッチを備えている。これにより、ムダな電力の消費を防ぐことができる。
【００５６】
また、剥離紙１４の剥離とともに絶縁紙４２４を容易に指装着部４０２から取り外すことができるので、使用時における利便性が向上する。
【００５７】
なお、上記図６（ａ）、図６（ｂ）、図６（ｃ）、及び図６（ｄ）にそれぞれ対応する、図７（ａ）、図７（ｂ）（図７（ａ）のＢ部拡大図）、図７（ｃ）、及び図７（ｄ）（図７（ｃ）のＢ′部拡大図）に示すように、上記絶縁紙４２４の代わりに、電池側端子４２２とテープ基材側端子４２３との間に融解絶縁体５２５を積層配置する構成としてもよい。この融解絶縁体５２５は、例えば通常の人体の体温で融解する絶縁材料から成り、使用前の常温状態では、電池側端子４２２とテープ基材側端子４２３との間を電気的に絶縁する。そして、指装着部５０２を操作者Ｍの指Ｆの肌表面Ｓに貼り付けた際には、当該操作者Ｍの体温が粘着剤層１３とシート型電池１２を介して融解絶縁体５２５に伝わり、当該融解絶縁体５２５を融解させることができる。これにより、図７（ｃ）及び図７（c）のＢ’部拡大図である図７（ｄ）に示すように、電池側端子４２２とテープ基材側端子４２３とを接触させて、上記同様、シート型電池１２からＥＬ発光部３へ電力を供給し発光させることができる。
【００５８】
この場合には、操作者Ｍは装着型照明具５０１を肌表面Ｓに貼り付けるだけで、特に電源の切り替えを意識することなく、容易にＥＬ発光部３への電力の供給を開始することができる。
【００５９】
また、図７（ａ）、図７（ｂ）、図７（ｃ）、及び図７（ｄ）にそれぞれ対応する図８（ａ）、図８（ｂ）（図８（ａ）のＣ部拡大図）、図８（ｃ）、及び図８（ｄ）（図８（ｃ）のＣ′部拡大図）に示すように、融解絶縁体５２５の代わりに電気的な温度検出センサ６２６と接続スイッチ６２７とを用いる構成としてもよい。温度検出センサ６２６及び接続スイッチ６２７は、指装着部６０２の一方の端部に、設けられている。
【００６０】
温度検出センサ６２６は、指装着部６０２の端部でその下面を粘着剤層１３と並べるように設けられる。指Ｆへの装着時には、温度検出センサ６２６の下面は操作者Ｍの肌表面Ｓに接触し（図８（ｃ）及び図８（ｃ）のＣ′部拡大図である図８（ｄ）参照）、温度検出センサ６２６は、通常の人体の体温を検知した際に電気的な検知信号を出力する。
【００６１】
接続スイッチ６２７は、シート型電池１２の図中上側にあたる外周側表面で、テープ基材１１を貫通するように設けられている。この接続スイッチ６２７は、信号線６２８を介し上記温度検出センサ６２６から検知信号が入力された際に、電力供給線６２１を介してシート型電池１２とＥＬ発光部３とを電気的に接続する。
【００６２】
上記構成において、指装着部６０２を操作者Ｍの指Ｆの肌表面Ｓに貼り付けると、温度検出センサ６２６が操作者Ｍの体温を検出して検出信号を接続スイッチ６２７に入力する。これにより、接続スイッチ６２７がシート型電池１２をＥＬ発光部３に接続し、電力の供給を開始する。
【００６３】
この場合においても、操作者Ｍは装着型照明具６０１を肌に貼り付けるだけで、特に電源の切り替えを意識することなく容易にＥＬ発光部３への電力の供給を開始することができる。
【００６４】
（３）指装着部の外部に電源を設けた場合
上記実施形態及び上記各変形例においては、指装着部２，１０２，２０２，３０２，４０２，５０２，６０２に電源を設けていたが、本発明はこれに限られない。例えば、指装着部２，１０２，２０２，３０２，４０２，５０２，６０２以外に操作者Ｍの身体に装着させる補助装着部を設け、そこに電源を配置してもよい。
【００６５】
本変形例の使用前状態の装着型照明具を、図９（ａ）及び図９（ｂ）を用いて説明する。装着型照明具７０１は、照明具本体７０５と補助装着具７０６とを有している。
【００６６】
照明具本体７０５は、上記実施形態の装着型照明具１からシート型電池１２を除いたものに相当し、指装着部７０２においてテープ基材１１と粘着剤層１３とが直接積層した構成となっている。
【００６７】
補助装着具７０６は、腕輪部材７０７と外部電池７０８とを有している。腕輪部材７０７は、例えば伸縮性部材から成る環状形状に形成された腕輪であり、その内径に操作者Ｍの手を通すことで手首に装着可能である。そして腕輪部材７０７の外周側表面に外部電池７０８が設置されており、電力供給線７２１がこの外部電池７０８と照明具本体７０５のＥＬ発光部３とを電気的に接続している。
【００６８】
本変形例の装着型照明具７０１は、上述したように補助装着具７０６の腕輪部材７０７を操作者Ｍの手首に装着し、照明具本体７０５を操作者Ｍの指Ｆに貼り付けつつ巻回することで、図１０に示すように装着することができる。これにより、上記実施形態と同様、ＥＬ発光部３が操作者Ｍの手元を照射することで操作者Ｍの視認性を向上させることができる。また、電源の外部電池７０８を操作者Ｍの手首に固定し、配置することができる。
【００６９】
以上説明したように、本変形例においては、比較的重量の大きい外部電池７０８を操作者Ｍの手首に固定できることにより、照明具本体７０５を軽量化して装着させる操作者Ｍの指の負担を軽減し、操作性をより向上させることができる。
【００７０】
なお、上記変形例では操作者Ｍの手首に装着させる腕輪部材７０７により補助装着具７０６を固定していたが、これに限られない。例えば、補助装着具７０６をクリップ等で操作者Ｍの衣服などに固定する構成としてもよい。
【００７１】
また、以上既に述べた以外にも、上記実施形態や各変形例による手法を適宜組み合わせて利用しても良い。
【００７２】
その他、一々例示はしないが、本発明は、その趣旨を逸脱しない範囲内において、種々の変更が加えられて実施されるものである。
【符号の説明】
【００７３】
１                        装着型照明具
２                        指装着部（テープ部材）
３                        ＥＬ発光部
１１                      テープ基材
１２                      シート型電池
１３                      粘着剤層（粘着剤層）
１４                      剥離紙
２１                      電力供給線
１０１                    装着型照明具
１０２                    指装着部（ベルト部材）
１０４                    無段階バックル部
１１５                    第２テープ基材
２０１                    装着照明具
２０２                    指装着部
２１１                    指輪部材
２１２                    小型電池
２２１                    電力供給線
３０１                    装着照明具
３０２                    指装着部
３１１                    指サック（弾性部材）
４０１                    装着型照明具
４０２                    指装着部
４２２                    電池側端子
４２３                    テープ基材側端子
４２４                    絶縁紙
５０１                    装着型照明具
５０２                    指装着部
５２５                    融解絶縁体
６０１                    装着型照明具
６０２                    指装着部
６２６                    温度検出センサ
６２７                    接続スイッチ
６２８                    信号線
７０１                    装着型照明具
７０２                    指装着部
７０５                    照明具本体
７０６                    補助装着具
７０７                    腕輪部材
７０８                    外部電池
７２１                    電力供給線
Ｍ                        操作者
Ｓ                        肌表面
Ｐ                        鉛筆
【図１】
2011060576.tif 000003
【図２】
2011060576.tif 000004
【図３】
2011060576.tif 000005
【図４】
2011060576.tif 000006
【図５】
2011060576.tif 000007
【図６】
2011060576.tif 000008
【図７】
2011060576.tif 000009
【図８】
2011060576.tif 000010
【図９】
2011060576.tif 000011
【図１０】
2011060576.tif 000012